(57)【要約】【課題】複雑な装置を必要とすることなく、家庭内で正確に基礎代謝量を測定することができるようにする。【解決手段】基礎代謝量測定装置１０は、就寝前の被測定者の体重値と起床後の体重値との差から夜間体重減少量を算出する。そして、基礎代謝量測定装置１０では、起床時の体重から代謝水量、不感蒸泄量を計算し、入力部１１により入力された体重測定前後の生活活動の情報により食事誘導性体熱産生量、排尿排便量を推定する。そして、基礎代謝量測定装置１０は、基礎代謝による体重減少量＝夜間体重減少量＋代謝水量−不感蒸泄量−食事誘導性体熱産生量−排尿排便量という式により、基礎代謝による体重減少量を算出し、この値から基礎代謝を計算して表示部１２に表示する。【選択図】図２
2007282657.tif 000002
【特許請求の範囲】
【請求項１】
異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段と、
を有する基礎代謝量測定装置。
【請求項２】
前記補正手段は、体重減少量を算出した期間における代謝水量と不感蒸泄量を求め、
基礎代謝による体重減少量＝体重減少量＋代謝水量−不感蒸泄量
という式により算出された基礎代謝による体重減少量を、補正後の体重減少量とする請求項１記載の基礎代謝量測定装置。
【請求項３】
前記入力手段により入力された生体活動の情報が、体重減少量を算出した期間における排尿または排便の有無であり、
前記補正手段は、排尿または排便の有無に応じて前記算出手段により算出された体重減少量の補正を行う請求項１または２記載の基礎代謝量測定装置。
【請求項４】
前記入力手段により入力された生体活動の情報が、体重減少量を算出した期間の開始前の体重測定時点において、食事が終了してから一定時間が経過しているか否かの情報であり、
前記補正手段は、食事が終了してから一定時間が経過しているか否かに応じて前記算出手段により算出された体重減少量を食事誘導性体熱産生量により補正する請求項１から３のいずれか１項記載の基礎代謝量測定装置。
【請求項５】
被測定者の体重を測定するための体重計と、
異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段と、
を有する基礎代謝量測定システム。
【請求項６】
前記補正手段は、体重減少量を算出した期間における代謝水量と不感蒸泄量を求め、
基礎代謝による体重減少量＝体重減少量＋代謝水量−不感蒸泄量
という式により算出された基礎代謝による体重減少量を、補正後の体重減少量とする請求項５記載の基礎代謝量測定システム。
【請求項７】
前記入力手段により入力された生体活動の情報が、体重減少量を算出した期間における排尿または排便の有無であり、
前記補正手段は、排尿または排便の有無に応じて前記算出手段により算出された体重減少量の補正を行う請求項５または６記載の基礎代謝量測定システム。
【請求項８】
前記入力手段により入力された生体活動の情報が、体重減少量を算出した期間の開始前の体重測定時点において、食事が終了してから一定時間が経過しているか否かの情報であり、
前記補正手段は、食事が終了してから一定時間が経過しているか否かに応じて前記算出手段により算出された体重減少量を食事誘導性体熱産生量により補正する請求項５から７のいずれか１項記載の基礎代謝量測定システム。
【発明の詳細な説明】
【技術分野】
【０００１】
本発明は、基礎代謝量を測定する基礎代謝量測定装置および基礎代謝量測定システムに関する。
【背景技術】
【０００２】
近年、成人病の予防等のために基礎代謝量を測定することが注目されるようになっている。しかし、被測定者の正確な基礎代謝量を決定するためには、通常、高価で大掛かりな装置が必要である。例えば、空腹時１４時間後仰臥して１０分間の呼吸の炭酸ガス、窒素ガスを測定する方法が医学的な方法として用いられてきた。しかし、このような方法を用いた場合、様々な測定条件が満たされることが必要であり、また、被測定者はマスクやマウスピースを着用して長時間安静を保たなければならいので被測定者に多くの負担を課すことになる。そのため、家庭内で基礎代謝量を測定することができるような装置が望まれている。
【０００３】
例えば特許文献１には、被測定者の生体インピーダンスを測定し、この生体インピーダンスに基づいて除脂肪量を演算し、この除脂肪量から基礎対処量を計算するという方法が開示されている。生体インピーダンスは、両足を電極の上に載せ、この電極間に電流を流すことにより測定される。
【０００４】
【特許文献１】特開２００２−１７２０９９号公報
【発明の開示】
【発明が解決しようとする課題】
【０００５】
しかし、上述したような従来の測定方法では、生体インピーダンスを測定する必要があるので、両足の置き方等により測定結果が変動し、得られた基礎代謝量も不正確になりやすいという問題点があった。
【０００６】
本発明の目的は、複雑な装置を必要とすることなく、家庭内で正確に基礎代謝量を測定することができる基礎代謝量測定装置および基礎代謝量測定システムを提供することである。
【課題を解決するための手段】
【０００７】
［基礎代謝量測定装置］
上記目的を達成するために、本発明の基礎代謝量測定装置は、異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段とを有する。
【０００８】
本発明の基礎代謝量測定装置によれば、被測定者は就寝前に体重計により体重の測定を行うとともに情報を入力し、起床後に再度体重計により体重の測定を行って情報の入力を行うという簡単な操作のみで、正確な基礎代謝量を得ることができる。そのため、複雑な装置を必要とすることなく、家庭内で正確に基礎代謝量を測定することが可能となる。
【０００９】
好ましくは、前記補正手段は、体重減少量を算出した期間における代謝水量と不感蒸泄量を求め、
基礎代謝による体重減少量＝体重減少量＋代謝水量−不感蒸泄量
という式により算出された基礎代謝による体重減少量を、補正後の体重減少量とする。
【００１０】
好ましくは、前記入力手段により入力された生体活動の情報が、体重減少量を算出した期間における排尿または排便の有無であり、
前記補正手段は、排尿または排便の有無に応じて前記算出手段により算出された体重減少量の補正を行う。
【００１１】
好ましくは、前記入力手段により入力された生体活動の情報が、体重減少量を算出した期間の開始前の体重測定時点において、食事が終了してから一定時間が経過しているか否かの情報であり、
前記補正手段は、食事が終了してから一定時間が経過しているか否かに応じて前記算出手段により算出された体重減少量を食事誘導性体熱産生量により補正する。
【００１２】
［基礎代謝量測定システム］
また、本発明の基礎代謝量測定システムは、被測定者の体重を測定するための体重計と、
異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段とを有する。
【発明の効果】
【００１３】
以上説明したように、本発明によれば、就寝前と起床後に体重を測定するだけで基礎代謝量を算出することができるので、複雑な装置を必要とすることなく、家庭内で正確に基礎代謝量を測定できるという効果が得られる。
【発明を実施するための最良の形態】
【００１４】
まず、本発明の理解を助けるために、その背景及び概略を説明する。
本発明では、安静時における被測定者の体重を安静時の前後の異なる２つの時刻において測定し、この安静にしていた期間における体重減少量に基づいて被測定者の基礎代謝量を測定する。
【００１５】
一般的に、人体の体重の変化は図１に示すような要因に基づく。
ここで、本発明では、飲食物を摂取せず、生活活動を行わない安静時における体重変化を基にして基礎代謝量を測定するため、食物・水分摂取、生活活動代謝については考慮しないものとする。すると、安静時の体重減少量は下記の式により算出されることがわかる。
【００１６】
安静時の体重減少量＝基礎代謝による体重減少量−代謝水量＋不感蒸泄量＋食事誘導性体熱産生量＋排尿排便量
つまり、基礎代謝による体重減少量は、下記のような式により算出されることがわかる。
【００１７】
基礎代謝による体重減少量＝安静時の体重減少量＋代謝水量−不感蒸泄量−食事誘導性体熱産生量−排尿排便量
よって、安静時の体重減少量を測定し、体重減少量を測定した期間における代謝水量、不感蒸泄量、食事誘導性体熱産生量、排尿排便量の影響を差し引くようにすれば、基礎代謝による体重減少量を得ることができる。そして、この基礎代謝による体重減少量が分かれば基礎代謝量を算出することが可能となる。
【００１８】
[実施形態]
次に、本発明の実施の形態について図面を参照して詳細に説明する。図２は本発明の一実施形態の基礎代謝量測定システムの構成を示すシステム図である。
【００１９】
本実施形態では、安静時として夜間の就寝時を用いた場合について説明を行う。しかし、飲食物を摂取せず、生活活動を行わない安静時であれば就寝時以外でも基礎代謝量の測定を行うことは可能である。
【００２０】
本実施形態の基礎代謝量測定システムは、図２に示されるように、基礎代謝量測定装置１０と、被測定者の体重を測定するための体重計２０とから構成されている。
【００２１】
体重計２０は、体重を測定するための測定部２１と、この測定部２１により測定された体重を表示するための表示部２２とから構成されている。そして、体重計２０の測定部２１により測定された体重情報は基礎代謝量測定装置１０に送信される。
【００２２】
基礎代謝量測定装置１０には、体重測定の前後における生体活動の情報を入力するための入力部１１と、測定された基礎代謝量を表示するための表示部１２が設けられている。
【００２３】
この基礎代謝量測定装置１０の外観を図３に示す。
基礎代謝量測定装置１０には、入力部１１として、“就寝前”、“食後３時間前”、“食後３時間後”、“起床後”、“排尿後”、“排便後”と表示された釦が設けられている。
【００２４】
“就寝前”、“起床後”の釦は、測定された体重が就寝前のものなのか起床後のものなのかを区別するための釦である。
また、“食後３時間前”、“食後３時間後”の釦は、就寝前の体重が測定された際、その時点において食事終了から３時間が経過しているか否かを入力するための釦である。
【００２５】
つまり、被測定者は、就寝前に体重を測定した際には、“就寝前”釦と、“食後３時間前”または“食後３時間後”のいずれかの釦を操作することになる。
【００２６】
また、“排尿後”、“排便後”の釦は、起床時の体重を測定した際に、起床から体重測定までの間に排尿または排便が行われた否かを入力するための釦である。
【００２７】
次に、本実施形態の基礎代謝量測定装置１０の具体的な構成を図４に示す。
本実施形態の基礎代謝量測定装置１０は、図４に示されるように、入力部１１と、表示部１２と、記憶部１３と、体重情報受信部１４と、ＣＰＵ（中央演算処理装置）１５と、タイマ１６と、ネットワークインタフェース１７とが、バス１８により接続された構成となっている。
【００２８】
体重情報受信部１４は、体重計２０から送信されてきた体重情報を受信して記憶部１３に記憶させる。
タイマ１６は、ＣＰＵ１５によりセット、リセットの制御がなされ、セットされた時刻からの経過時間を計測する。
【００２９】
ネットワークインタフェース１７は、例えば、ＬＡＮ（Local Area Network）等を介してパーソナルコンピュータ等と接続するようになっている。
表示部１２は、例えば液晶モニタにより構成され、測定された基礎代謝量や警告情報や入力ガイダンス等を表示する。
【００３０】
また、入力部１１には、図３に示したような釦以外にも、被測定者の名前、年齢、性別等を入力することが可能なような操作部が設けられている。この入力部１１から入力された各種の情報は記憶部１３に記憶される。
【００３１】
ＣＰＵ１６は、所定のプログラムに基づいて入力部１１、表示部１２、記憶部１３、体重情報受信部１４、タイマ１６、ネットワークインタフェース１７等の制御を行うことにより基礎代謝量の測定を行う。
【００３２】
このようにして所定のプログラムに基づいた処理が行われることにより実現される基礎代謝量測定装置１０の機能構成例を図５に示す。
【００３３】
この図５を参照すると、本実施形態の基礎代謝量測定装置１０は、入力部１１と、表示部１２と、体重情報受信部１４と、算出部３１と、補正部３２と、基礎代謝量演算部３３とから構成されている。
【００３４】
算出部３１は、体重情報受信部１４により受信された体重情報に基づいて、体重計２０により測定された就寝前と起床後の２つの体重値により夜間体重減少量を算出する。
【００３５】
補正部３２は、入力部１１により入力された、食後からの経過時間、安静時における排便、排尿の有無等の生体活動の情報に基づいて算出部３１により算出された夜間体重減少量を補正する。
【００３６】
基礎代謝量演算部３３は、補正部３２により補正された後の夜間体重減少量に基づいて基礎代謝量を算出し、表示部１２に表示させる。また、パーソナルコンピュータ等の機器が接続されている場合には、基礎代謝量測定装置１０は、図４に示したネットワークインタフェース１７を介して体重情報および算出された基礎代謝量を送信する。
【００３７】
なお、補正部３２、基礎代謝量演算部３３は、タイマ１６のタイマ値により、体重減少量が算出された２つの体重値が測定された時間間隔を知ることができるようになっている。
【００３８】
次に、補正部３２が夜間体重減少量をどのように補正するかについての具体的な方法を説明する。
先ず、補正部３２は、タイマ１６により測定された時間と図６に示すようなデータに基づいて、代謝水量と不感蒸泄量を下記のような方法により算出する。図６は、２４時間における代謝水量と不感蒸泄量の標準値を体重毎に示した表である。
【００３９】
[代謝水量]
図６を参照すると、体重６０ｋｇの人の２４時間における平均的な代謝水量は３００ｇである。つまり、体重１ｋｇ当たりの２４時間における代謝水量は５ｇ（３００ｇ／６０ｋｇ）であると考えることができる。そして、体重に比例して代謝水量も増加するものと思われる。そのため、この体重６０ｋｇの場合の平均的な値を用いて、ある体重値の人のある睡眠時間における代謝水量を下記の式により算出することが可能である。
代謝水量＝体重値×５ｇ×睡眠時間／２４時間
例えば、体重６５ｋｇ、睡眠時間８時間の場合の代謝水量は、下記のような式により算出される。
代謝水量＝６５×５×８／２４≒１０８．３[ｇ]
【００４０】
[不感蒸泄量]
次に、皮膚および呼吸によって意識されずに水分が蒸発する現象である不感蒸泄による減少量も体重に比例して増加するものと思われる。そして、図６を参照すると、体重６０ｋｇの人の２４時間における平均的な不感蒸泄量が９００ｇである。つまり、体重１ｋｇあたりの２４時間における不感蒸泄量は１５ｇ（９００ｇ／６０ｋｇ）であると考えることができる。そのため、この体重６０ｋｇの場合の平均的な値を用いて、ある体重値の人のある睡眠時間における不感蒸泄量を下記の式により算出することが可能である。
不感蒸泄量＝体重値×１５ｇ×睡眠時間／２４時間
例えば、体重６５ｋｇ、睡眠時間８時間の場合の代謝水量は、下記のような式により算出される。
不感蒸泄量＝６５×１５×８／２４≒３２４．９[ｇ]
【００４１】
次に、補正部３２は、タイマ１６により測定された時間および入力部１１により入力された生体活動の情報に基づいて、食事誘導性体熱産生量と排尿排便量を下記のような方法により算出する。
【００４２】
[食事誘導性体熱産生量]
食事誘導性体熱産生とは、咀しゃくや消化、吸収、代謝など食事にともなうエネルギー消費のことである。よって、食事後一定時間を経過している場合には考慮する必要はないと考えられる。本実施形態では、就寝前の体重測定の際に食事後から３時間が経過していない場合にのみ補正を行う。
【００４３】
一般的に、消化・吸収に伴うエネルギーは２００ｋｃａｌ／日程度であると考えられる。そして、この２００ｋｃａｌは、体重３０ｇ程度に該当する。１日３食であると仮定すると、１回の食事による食事誘導性体熱産生量は約１０ｇであると考えられる。そのため、就寝前の体重測定の際に、図３に示した“食後３時間前”の釦が操作された場合には、補正部３２は、食事誘導性体熱産生量を１０ｇとして夜間体重減少量の補正を行う。なお、就寝前の体重測定の際に、図３に示した“食後３時間後”の釦が操作された場合には、補正部３２は、食事誘導性体熱産生量を０ｇとして夜間体重減少量の補正を行う。
【００４４】
[排尿排便量]
次に、補正部３２は、排尿排便量の値を決定する。ここで、１回の排尿量の標準値は約２００ｇ、１回の排便量（含む排尿量）の標準値は約３９０ｇである。
【００４５】
そのため、起床後の体重測定の際に、図３に示した“排尿後”の釦が操作された場合には、補正部３２は、排尿排便量を２００ｇとして夜間体重減少量の補正を行う。そして、起床後の体重測定の際に、図３に示した“排便後”の釦が操作された場合には、補正部３２は、排尿排便量を３９０ｇとして夜間体重減少量の補正を行う。なお、起床後の体重測定の際に、図３に示した“排尿後”の釦も“排便後”の釦のいずれも操作されなかった場合には、補正部３２は、排尿排便量を０ｇとして夜間体重減少量の補正を行う。
【００４６】
なお、ここでは排尿量および排便量として予め設定された標準値を用いるようにしているが、個人毎にこれらの値を変更するようにしてもよい。例えば、排尿前（排便前）の体重と排尿後（排便後）の体重との差により各個人毎の排尿量（排便量）を測定して平均化した値により、上述のような標準値を置き換えるようにすればよい。このようにすることにより測定される基礎代謝量をより正確にすることができる。
【００４７】
[基礎代謝量の算出]
そして、補正部３２は、上述したような方法により得られた代謝水量、不感蒸泄量、食事誘導性体熱産生量、排尿排便量を用いて、上述した下記の式により算出部３１により算出された夜間体重減少量を補正することにより、基礎代謝による体重減少量を算出する。
【００４８】
基礎代謝による体重減少量＝安静時の体重減少量＋代謝水量−不感蒸泄量−食事誘導性体熱産生量−排尿排便量
そして、基礎代謝量演算部３３は、補正部３２により補正された後の基礎代謝による体重減少量に基づいて基礎代謝量を算出する。例えば、基礎代謝量演算部３３は、図７に示すような表に基づいて基礎代謝量を算出する。
【００４９】
この図７は、基礎代謝量と体重減少量との関係を示した図である。基礎代謝量は２４時間における消費カロリーであるため、図６に示す体重減少量は２４時間における基礎代謝による体重減少量を示している。
【００５０】
ここで、基礎代謝量が１５００ｋｃａｌの人の体重減少量は２１０ｇであるため、例えば、基礎代謝量算出部３２は、この値を用いて下記のような式により基礎代謝量を算出する。
基礎代謝量＝基礎代謝による体重減少量×２４／睡眠時間／２１０ｇ×１５００ｋｃａｌ
【００５１】
次に、本実施形態の基礎代謝量測定システムの動作を図８のフローチャートを参照して説明する。
ここでは、睡眠時間を８時間、就寝前の体重が６４．５ｋｇ、起床後の体重が６４．２ｋｇであるものとして説明を行う。また、夕食後から就寝前の体重測定まで３時間が経過していなかったものとし、起床後は排尿も排便もせずに体重を測定したものとして説明する。
【００５２】
先ず、被測定者は、体重計２０により体重測定を行う。すると体重計２０は、測定された体重情報を基礎代謝量測定装置１０に送信し、基礎代謝量測定装置１０は、この体重情報を受信する（Ｓ１０１）。
【００５３】
すると、基礎代謝量測定装置１０は、表示部１２により入力ガイダンスを行うことにより各種生体情報の入力を被測定者に指示する。ここでは就寝前の体重測定であるため、被測定者は、図３に示す“就寝前”の釦を操作する。そして、ここでは食後から３時間が経過していないため、被測定者は、“食後３時間前”の釦を操作する。
【００５４】
すると、基礎代謝量測定装置１０では、受信された体重情報が就寝前であると判定されるため（Ｓ１０２）、タイマ１６がセットされ（Ｓ１０３）、測定された体重値が記憶される（Ｓ１０４）。
【００５５】
この後、被測定者が就寝して８時間経過した後に起床し再度体重計２０により体重測定を行ったものとする。すると、この体重情報は基礎代謝量測定装置１０により受信される（ステップ１０１）。そして、体重情報を受信した基礎代謝量測定装置１０は、就寝前と同様に表示部１２により入力ガイダンスを行うことにより各種生体情報の入力を被測定者に指示する。ここでは、起床後の体重測定であるため、被測定者は、図３に示す“起床後”の釦を操作する。そして、ここでは排尿および排便を行っていないため、被測定者は、“排尿後”の釦および“排便後”の釦のいずれも操作しない。
すると、基礎代謝量測定装置１０では、受信された体重情報が起床後であると判定されるため（Ｓ１０２）、タイマ１６のタイマ値が取得される（Ｓ１０５）。
【００５６】
そして、図５の算出部３１は、記憶されている就寝前の体重値と、起床後の体重値との差を夜間体重減少量として算出する（Ｓ１０６）。ここでは、就寝前の体重が６４．５ｋｇ、起床後の体重が６４．２ｋｇであるため、夜間体重減少量は３００ｇとなる。
【００５７】
次に、補正部３２は、算出部３１により算出された夜間体重減少量の補正を行う（Ｓ１０７）。
【００５８】
ここでは、補正部３２は、起床後の体重を用いて代謝水量、不感蒸泄量を下記のように算出する
代謝水量＝６４．２×５×８／２４＝１０７ｇ
不感蒸泄量＝６４．２×１５×８／２４＝３２１ｇ
食事誘導性体熱産生量＝１０ｇ
排尿排便量＝０ｇ
【００５９】
そして、補正部３２は、夜間体重減少量３００ｇを下記のように補正する。
基礎代謝による体重減少量＝３００ｇ＋１０７ｇ−３２１ｇ−１０ｇ
＝７６ｇ
【００６０】
そして、基礎代謝量演算部３３は、補正部３２により補正された後の夜間体重減少量（＝基礎代謝による体重減少量）を用いて基礎代謝量を算出する（Ｓ１０８）。
【００６１】
ここでは、補正された後の夜間体重減少量が７６ｇであるため、基礎代謝量は下記の式により算出される。
基礎代謝量＝７６ｇ×２４／８×２１０ｇ×１５００ｋｃａｌ
＝１６２８．３６ｋｃａｌ
【００６２】
そして、基礎代謝量演算部３３により算出された基礎代謝量は、表示部１２に表示され（Ｓ１０９）、体重値とともに図４に示したネットワークインタフェース１７を介してパーソナルコンピュータ等に送信される（Ｓ１１０）。そして、タイマ１６はリセットされ（Ｓ１１１）、処理は終了する。
【００６３】
本実施形態の基礎代謝量測定システムによれば、被測定者は就寝前に体重計２０により体重の測定を行って基礎代謝量測定装置１０に情報を入力し、起床後に再度体重計２０により体重の測定を行って基礎代謝量測定装置１０に情報の入力を行うという簡単な操作のみで、正確な基礎代謝量を得ることが可能となる。
【００６４】
特に一般的な家庭でも体重計は既に備えられている場合も多いため、この体重計と接続可能な基礎代謝量測定装置のみを用意するだけで正確な基礎代謝量の測定が可能となる。また、体重計と基礎代謝量測定装置とを接続することなく、体重計で測定された体重値をテンキーのような入力手段により入力するようにすれば、体重計と基礎代謝量測定装置を接続することなく基礎代謝量の測定が可能となる。
【００６５】
このように、本実施形態の基礎代謝量測定システムによれば、複雑な装置を必要とすることなく、家庭内で正確に基礎代謝量を測定することができるようになる。
【００６６】
さらに、本実施形態では、体重計２０と基礎代謝量測定装置１０とが異なる装置により構成されている場合を用いて説明しているが、本発明はこのような形態に限定されるものではなく、体重計２０と基礎代謝量測定装置１０とが一体になり１つの装置内に構成されたような場合でも同様に適用することができるものである。
また、就寝前の体重と起床後の体重差があまりに大きく異なる場合には、就寝前の被測定者と起床後の被測定者が異なる人物であると考えられるため、被測定者が異なる旨の警告表示をするようにしてもよい。
【００６７】
尚、本実施形態の基礎代謝量測定システムでは、睡眠中に食事や水分を摂取した場合には正確な基礎代謝量を算出することができない。しかし、夜中に起きてしまい水分を摂取したような場合には、再度就寝前の体重測定を行うようにすれば、起床まである程度十分な時間が確保できるのであれば基礎代謝量の測定を行うことができる。
【００６８】
さらに、基礎代謝量の値は１回だけ測定したのでは誤差が含まれることが考えられるため、数日間連続して基礎代謝量を測定し、移動平均法等により数日間の値の平均を算出して表示するようにすれば、さらに精度の高い結果を得ることが可能となる。
【００６９】
[変形例]
上記実施形態では、睡眠時の体重減少量を、代謝水量、不感蒸泄量、食事誘導性体熱産生量および排尿排便量により補正して、基礎代謝による体重減少量を得るようにしていたが、就寝前の一定時間は食事をしないこと、および起床後の体重測定前に排尿および排便を行わないことを被測定者に課すようにすれば、食事誘導性体熱産生量および排尿排便量を考慮する必要がなくなる。つまり、睡眠時の体重減少量を、代謝水量、不感蒸泄量のみで補正するだけでも基礎代謝による体重減少量を得ることが可能になる。
【００７０】
また、上記実施形態では、就寝前と起床後の体重値により夜間体重減少量を算出するようにしていたが、異なる時刻において測定された少なくとも２つの体重値により安静にしている期間における体重減少量を算出することができれば同様にして基礎代謝量を測定することが可能である。
【図面の簡単な説明】
【００７１】
【図１】人体の体重の変化の要因を示す図である。
【図２】本発明の一実施形態の基礎代謝量測定システムの構成を示すシステム図である。
【図３】図２中の基礎代謝量測定装置１０の外観を示す図である。
【図４】本発明の一実施形態の基礎代謝量測定装置１０の具体的な構成を示す図である。
【図５】本発明の一実施形態の基礎代謝量測定装置１０の機能構成例を示す図である。
【図６】２４時間における代謝水量と不感蒸泄量の標準値を体重毎に示した図である。
【図７】基礎代謝量と体重減少量との関係を示した図である。
【図８】本発明の一実施形態の基礎代謝量測定装置１０の動作を示すフローチャートである。
【符号の説明】
【００７２】
１０    基礎代謝量測定装置
１１    入力部
１２    表示部
１３    記憶部
１４    体重情報受信部
１５    ＣＰＵ
１６    タイマ
１７    ネットワークインタフェース
１８    バス
２０    体重計
２１    測定部
２２    表示部
３１    算出部
３２    補正部
３３    基礎代謝量演算部
Ｓ１０１〜Ｓ１１１    ステップ
【図１】
2007282657.tif 000003
【図２】
2007282657.tif 000004
【図３】
2007282657.tif 000005
【図４】
2007282657.tif 000006
【図５】
2007282657.tif 000007
【図６】
2007282657.tif 000008
【図７】
2007282657.tif 000009
【図８】
2007282657.tif 000010
【手続補正書】
【提出日】平成19年1月12日(2007.1.12)
【手続補正１】
【補正対象書類名】特許請求の範囲
【補正対象項目名】請求項５
【補正方法】変更
【補正の内容】
【請求項５】
体重を測定するための体重計と、
異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段と、
を有する基礎代謝量測定システム。
【手続補正２】
【補正対象書類名】明細書
【補正対象項目名】００１２
【補正方法】変更
【補正の内容】
【００１２】
［基礎代謝量測定システム］
また、本発明の基礎代謝量測定システムは、体重を測定するための体重計と、
異なる時刻において測定された少なくとも２つの体重値により、ある期間における体重減少量を算出する算出手段と、
体重測定の前後における生体活動の情報を入力する入力手段と、
前記入力手段により入力された生体活動の情報に基づいて前記算出手段により算出された体重減少量を補正する補正手段と、
前記補正手段により補正された後の体重減少量に基づいて基礎代謝量を算出する基礎代謝量演算手段とを有する。